(57)【特許請求の範囲】
【請求項１】
前端に尖った刃を有する破砕刃と、
前後方向に走行するように路面上で前記破砕刃を支持する車輪と、
一端に設けられたグリップが前記破砕刃の後方において上下に移動するように、他端付近において前記破砕刃に回動自在に支持された棒状支持部材と、
前後方向に滑動自在に前記破砕刃内に設けられた滑動錘とを備えており、
前記車輪が、路面上で前記破砕刃を支持した際に前記破砕刃の前部が路面に当接するように、前記破砕刃の後部に配置されており、
前記棒状支持部材が、前記破砕刃に当接することにより回動幅が制限されるように前記破砕刃に支持されており、
前記破砕刃が前方に走行するのを停止した際に前記滑動錘が前記破砕刃の内部に衝突し、その衝撃力が前記破砕刃に伝達されるように構成されていることを特徴とする圧雪氷破砕機。
【請求項２】
前端に尖った刃を有し内部に空洞が形成された破砕刃と、
前後方向に走行するように路面上で前記破砕刃を支持する車輪と、
一端に設けられたグリップが前記破砕刃の後方において上下に移動するように、他端付近において前記破砕刃に回動自在に支持された棒状支持部材とを備えており、
前記車輪が、路面上で前記破砕刃を支持した際に前記破砕刃の前部が路面に当接するように、前記破砕刃の後部に配置されており、
前記棒状支持部材が、前記破砕刃に当接することにより回動幅が制限されるように前記破砕刃に支持されており、
前記棒状支持部材を回動自在に支持する支持部が、前記破砕刃内において前記棒状支持部材を支持するように配置されており、
前記車輪を支持する車軸が、前記破砕刃内において前記車輪を支持するように配置されていることを特徴とする圧雪氷破砕機。
【発明の詳細な説明】
【技術分野】
【０００１】
本発明は、路面等に積雪する圧雪及び圧雪氷を路面より剥離して破砕する機具に関するものである。
【背景技術】
【０００２】
従来圧雪氷粉砕具として、主に使われている鶴嘴の使用では、振り上げ、振り下ろし作業工程の繰り返しと労力を要する作業を行っていた。又、労力を必要とする故に、打ち込み角度によっては、鶴嘴刃先が氷に弾かれバランスを崩し、転倒するなどの危険を伴う作業と成っていたために、老人や婦女子等には、困難を強いられていた。又、尖った鉄棒若しくは鉄棒先に鉄板刃を取り付けた道具の圧雪氷除去には、圧雪氷の状態を状況判断しつつ、打ち込み角度を考慮して、主に垂直方向等に突き刺して圧雪氷除去を行っていた為、道路を基体として圧雪氷を打ち砕く行為となっていたため、圧雪氷除去に必要以上の労力を要していた。
【０００３】
又、下記記載の文献による方法が施行されていた。
【特許文献１】特開２００４−２３８８６１
【特許文献２】特許番号３２９５３５６
【特許文献３】特開平１０−１８３５５０
【特許文献４】特開平１１−２１７８０９
【特許文献５】実用新案登録３１０１９９２
【特許文献６】実用新案登録３０９２２０７
【特許文献７】実用新案登録３０８４８２９
【特許文献８】実開平０５−０９６１１７
【特許文献９】実用新案登録３０９７２４５
【特許文献１０】実用新案登録３１０３１５４
【発明の開示】
【発明が解決しようとする課題】
【０００４】
寒冷地帯においての新雪は密度が少なく除去には、従来の道具、スノーダンプ、並び除雪シャベルにて容易に除雪を行えるが、人間及び車両重量により圧雪状態となった残雪は、日夜の温度差により圧雪氷と変化するため除去が極めて困難となっている課題がある。
【０００５】
この圧雪氷を、除去する為には破砕か粉砕が必要で、背景技術に示す道具を介して破砕若しくは粉砕するためには、自己の力を直接又は間接的に用いて、圧雪氷を破砕若しくは粉砕する氷雪上の作業であるが故、作業上労力を要する作業状況においては、足元に不安定性が生じ滑べり転倒、又は、労力的にも老人や婦女子が、破砕及び粉砕作業を安易に行えない課題があった。
【課題を解決するための手段】
【０００６】
請求項１記載の発明に係る圧雪氷破砕機は、前端に尖った刃を有する破砕刃と、前後方向に走行するように路面上で前記破砕刃を支持する車輪と、一端に設けられたグリップが前記破砕刃の後方において上下に移動するように、他端付近において前記破砕刃に回動自在に支持された棒状支持部材と、前後方向に滑動自在に前記破砕刃内に設けられた滑動錘とを備えており、前記車輪が、路面上で前記破砕刃を支持した際に前記破砕刃の前部が路面に当接するように、前記破砕刃の後部に配置されており、前記棒状支持部材が、前記破砕刃に当接することにより回動幅が制限されるように前記破砕刃に支持されており、前記破砕刃が前方に走行するのを停止した際に前記滑動錘が前記破砕刃の内部に衝突し、その衝撃力が前記破砕刃に伝達されるように構成されている。
【０００７】
請求項２記載の発明に係る圧雪氷破砕機は、前端に尖った刃を有し内部に空洞が形成された破砕刃と、前後方向に走行するように路面上で前記破砕刃を支持する車輪と、一端に設けられたグリップが前記破砕刃の後方において上下に移動するように、他端付近において前記破砕刃に回動自在に支持された棒状支持部材とを備えており、前記車輪が、路面上で前記破砕刃を支持した際に前記破砕刃の前部が路面に当接するように、前記破砕刃の後部に配置されており、前記棒状支持部材が、前記破砕刃に当接することにより回動幅が制限されるように前記破砕刃に支持されており、前記棒状支持部材を回動自在に支持する支持部が、前記破砕刃内において前記棒状支持部材を支持するように配置されており、前記車輪を支持する車軸が、前記破砕刃内において前記車輪を支持するように配置されている。
【０００８】
【発明の効果】
【０００９】
請求項１及び２記載の圧雪氷破砕機によれば、破砕刃先端部が、圧雪氷剥離抵抗で路面に押さえつけられることで、路面上を平行移動可能にして、圧雪氷破砕作業が路面上を往復平行移動するのみと、作業内容が簡素化されると共に、圧雪氷が剥離された路面にて、圧雪氷破砕に必要な作業を行えるため滑り転倒を軽減する安全面での効果がある。
【００１０】
又、圧雪氷破砕には、路面に沿って移動する破砕刃であるが故、路面上から路面と圧雪氷間に楔を打ち込む状態で、加える破砕力は、圧雪氷を抵抗の少ない空中方向へのみの剥離破砕となり、破砕に要する力を最小限に留めた。
【００１１】
請求項１記載の圧雪氷を滑動錘により衝打剥離破砕するので、圧雪氷破砕機にて要する労力をさらに軽減行えるために、幅の広い人々での作業を可能にする効果がある。
【００１２】
請求項１と２に共通して、次のような効果がある。圧雪氷破砕機と路面とが常に接触しているが故に支持棒を介したグリップが、常に杖代わりになるため転倒防止作用がある。
【００１３】
以上のことを鑑みての効果は、労力の軽減し、簡素化された作業内容により、安全な作業を行えることで、効率化を図れるものである。
【発明を実施するための最良の形態】
【００１４】
以下、図面に、基づき本発明の実施形態を詳述する。本発明に係る実施の形態の一例を示す図１は、図２、図７、図８、図９、のＡ−Ａ縦断面図であり、構成は、錐体形破砕刃３は尖った三角錐体形状を有し、一面を路面７に沿うように配置し、側面を図６、図７、図８、で示す様形成されており、図面で示す部位に車輪４及び支持棒２に溶接した車軸支持板２ａを軸支する車軸５穴を設けているもので、車輪４間には、支持棒２の下両側面端部に溶接された車軸支持板２ａに車軸５を貫通し連結して構成されており、支持棒２の上部に、支持棒外筒管１を差込み複数の留めピン穴１ｃに留めピン２ｂを貫通させてあり、２ｂの抜き差しにて接続することにより、伸縮性を保持する外筒管１の上端部に、グリップ１ａをＴ字状に定設されているものである。なお、支持棒２及び支持棒外筒管１は、本発明の棒状支持部材に対応する。又、錐体形破砕刃３及び支持棒２は、図８で示す錐体形破砕刃３に設けた支持棒貫通穴３ｃを縦長に開口することにより一定角度回動し回動幅を制限される形態である。
【００１５】
図３は、図１の構成の変形例であり、図４のＡ−Ａ断面図である。図３、図４の構成では、支持棒２に溶接された車軸支持板２ａにハンマー６を付設したもので、ハンマー６の構成は、密閉外筒管６ａに内在する流通穴６ｃを設けた滑動錘６ｂと、密閉外筒管６ａに内設した凸ゴム６ｄにより構成されている形態である以外は図１の構成と同様である。
【００１６】
図３で示す垂体形破砕刃先端部３ａに付設可能な後付破砕刃９は、垂体形破砕刃３ａと同じ形状であり、破砕刃９先端下面に円盤９ａを溶接して構成されているものであり、請求項１、請求項２に対して、自在な装着に用いるものである。装着にはネジもしくはボルトにより固定を行いうる。
【実施例】
【００１７】
図１は、第１の実施例断面図であって、圧雪氷破砕機の操作は、グリップ１ａを両手で握り、図１０で示す移動方向線１０に従い、圧雪氷８方向に押すことで、図１で示す様に錐体形破砕刃先端部３ａが尖っているために、路面７と圧雪氷８の間に打ち込まれ、圧雪氷８を剥離氷８ａの状態に浮かせて、図１０に示す様錐体形破砕刃３の上部により破砕を行うものである。路面７と錐体形破砕刃３との移動抵抗を軽減するために車輪４を設けている。又、錐体形破砕刃３と路面７が、路面状況に応じた密着性を柔軟に行うために、図８で示す支持棒貫通穴３ｃを、支持棒２の直径より縦長に幅を持たせ開口することにより、支持棒２より錐体形破砕刃３が分離されることで、車軸５を中心に一定角度回動して、錐体形破砕刃３が路面７に応じて回動自在となっている。支持棒２が支持棒貫通穴３ｃ上部に当たると、錐体形破砕刃先端部３ａは、路面７方向に押され路面７に強固に氷着した圧雪氷剥離を行える。又、逆に支持棒２が、支持棒貫通穴３ｃ下部に当たると、支持棒破砕刃先端部３ａは路面７より離れるので、路面に応じた作業を行えると共に、錐体形破砕機が必要以上に前に進行し、歩行が追いつかない場合には、グリップ１ａ高さ位置の維持が困難となり、必然的に路面７方向に下がるため、錐体形破砕刃後部下端３ｂが、路面７に接触するので、抵抗を得てブレーキの役目を果たすと同時に、錐体形破砕刃３に対して、一定角度しか回動しない支持棒２を介したグリップ１ａが、杖代りとなり体を支えるために転倒防止効果がある。
【００１８】
図３は、第２の実施例断面図であって、ハンマー６付設の圧雪氷破砕機では、図１０で示す移動方向線１０を１０ｂ方向から１０ａ方向に移動すると、密閉外筒管６ａ内に内在する滑動錘６ｂは、慣性の法則により凸ゴムの位置を保持しているが、錐体形破砕刃３が、圧雪氷８に衝突することで、慣性の法則により、滑動錘６ｂは密閉外筒管６ａの前部を衝打するが故、車軸５から錐体形破砕刃３と衝撃力は伝わり圧雪氷８を衝撃破砕するため、圧雪氷破砕に要する労力の軽減と共に、衝突時の反動を抑えて圧雪氷破砕をより効率的行うものである。
【００１９】
図５で示す後付破砕刃９は、錐体形破砕刃３が、道路面の凸凹で、移動困難を強いられたときに、先端円盤９ａが道路７との接地面を広く確保することで、移動困難を解消したものであり、圧雪氷８が融雪状態にある場合に、広範囲の圧雪氷剥離を行えることを特徴とするものである。
【産業上の利用可能性】
【００２０】
平面状の基体上に塗布及び布設された基体以上の柔軟物質の剥離作業の用途にも適用できる。
【図面の簡単な説明】
【００２１】
【図１】第１の実施例のＡ−Ａ断面図
【図２】第１の実施例の底面図
【図３】第２の実施例のＡ−Ａ断面図
【図４】第２の実施例の底面図
【図５】後付破砕刃取り付け先端部図
【図６】実施状態側面図
【図７】正面図
【図８】背面図
【図９】上面図
【図１０】実施例地斜視図
【符号の説明】
【００２２】
１ 支持棒外筒管
１ａ グリップ
１ｂ 留めピン
１ｃ 留めピン穴
２ 支持棒
２ａ 車軸支持板
３ 錐体形破砕刃
３ａ 錐体形破砕刃先端部
３ｂ 錐体形破砕刃後部下端
３ｃ 支持棒貫通穴
４ 車輪
５ 車軸
６ ハンマー
６ａ 密閉外筒管
６ｂ 滑動錘
６ｃ 流通穴
６ｄ 凸ゴム
７ 路面
８ 圧雪氷
８ａ 剥離圧雪氷
９ 後付破砕刃
９ａ 円盤
１０ 移動方向線
１０ａ 前方向
１０ｂ 後方向
【図１】
0004453916.tif 000002
【図２】
0004453916.tif 000003
【図３】
0004453916.tif 000004
【図４】
0004453916.tif 000005
【図５】
0004453916.tif 000006
【図６】
0004453916.tif 000007
【図７】
0004453916.tif 000008
【図８】
0004453916.tif 000009
【図９】
0004453916.tif 000010
【図１０】
0004453916.tif 000011